(57)【特許請求の範囲】
【請求項１】
剛性のある長尺体（１）の下面の全面に細長い長方形の人工芝（２）を貼り付けて均し具（３）とし、この長尺体（１）に対して直角に複数の腕木（５、５・・・）を間隔を設けて取り付け、この腕木（５、５・・・）の各々の先端に削り具（６）を差し渡して設け、この腕木（５、５・・・）の下面に網（８）及び／又は板（１８）を配設したことを特徴とするグランド整地具。
【請求項２】
上記腕木（５、５・・・）の上面に網（７）を配設したことを特徴とする請求項１記載のグランド整地具。
【請求項３】
上記腕木（５、５・・・）の下部に斜め前方上方に向かう短冊状の複数の切り込み（１４、１４・・・）を間隔を開けて設け、この切り込み（１４、１４・・・）の各々に複数の平板（１１、１１・・・）をはめ込んで差し渡し配設したことを特徴とする請求項１又は請求項２記載のグランド整地具。
【請求項４】
上記腕木（５、５・・・）の先端又は上記削り具（６）の前方長辺側の複数箇所に、前方上方に突き出した滑り板（９、９・・・）及び／又は車輪（１２、１２・・・）を設けたことを特徴とする請求項１又は２記載のグランド整地具。
【発明の詳細な説明】
【技術分野】
【０００１】
本発明は、グランド、テニスコート、野球（ソフトボール）場などの整備用具に関するものである。
【背景技術】
【０００２】
従来、野球場、グランド、テニスコート等の地面を整備する方法としては、木製、金属製のグランドレーキ（砂ならし）やコートブラシなどを引っ張って均す方法やその整備具で地面を前後動させて削って均す方法が取られている。これは荒れた地面を均し盛り上がった土を窪んだ場所に移し平坦にする作業であるが、地面は乾燥した硬い状態や雨の後の軟らかい状態など様々であり、また面積も広く丁寧にしなければならないので、以外と時間を要する作業である。大型のブラシを取り付けた整備用自動車のある野球（ソフトボール）場やグランドは一部に限られているので、殆どのグランドでは人力による整備作業が行われている。競技はこれらの整備作業後に行われ、競技の途中には荒れた場所を短時間で整備しなければならない場合もある。また地面に白いテープを釘で止めて白線として使用しているテニスコートや小学校の運動場ではグランド整備を難しくしている。出願人は先に特願２００３−２９３４７０号では、レーキの前後に均し板を設けて３枚の均し板で地面を削り均す方法と特願２００３−４０２４８１号では長方形の天板の下面に人工芝を取り付けたグランド整備具を提案している。また特願２００４−１８５７９８号では椅子を利用したグランド補助整備具を提案している。
【０００３】
【特許文献１】特願２００３−２９３４７０号特願２００３−４０２４８１号特願２００４−１８５７９８号
【発明の開示】
【発明が解決しようとする課題】
【０００４】
グランド整備に使用するコートブラシは細長い角材の下面に毛を植え込んだブラシであり、地面には強くあたらずに撫でるようにして均すだけのものでありグランドの表面しか整備をすることが出来ない。また、グランドレーキも木・鉄・アルミなどで作られたアングルや長方形の板をある角度で引っ張ることによって地面上を削って均すものである。グランドの良い状態を維持するには日常的に地面の整備作業をする必要がある。グランドの広範囲にわたる地面の土の中には小石、ゴミなどが自然に混じり込んでくる。比較的小さい小石、ゴミは取り除かれることはなく放置されている。特願２００３−２９３４７０号は人力による整備作業をする用具であり部分的な盛り上がりや窪みを平坦に均すことを目的としている。特願２００３−４０２４８１号はバイク、自動車を利用した整備具であり、地面を均して整備の仕上がりも広範囲を平均して行うことが出来るが、地面を均すものである。また特願２００４−１８５７９８号はグランド整備具をロープの先端に取り付け円形の地面を整備するための補助的整備具を提案している。
【０００５】
本発明は、上述の点に鑑みて、グランド、テニスコート、野球（ソフトボール）場の地面の中の小石・ゴミを取り除く機能と均す機能を合わせ備えた整備具で軟らかい平坦な地面に整備することを課題としたものである。
【課題を解決するための手段】
【０００６】
そこで、本発明の請求項１記載のグランド整地具（以下、本発明１と言う）は、剛性のある長尺体１の下面の全面に細長い長方形の人工芝２を貼り付けて均し具３とし、この長尺体１対して直角に複数の腕木５、５・・・を間隔を設けて取り付け、この腕木５、５・・・の各々の先端に削り具６を差し渡して設け、この腕木５、５・・・の下面に網８及び／又は板１８を配設したことを特徴としている。
【０００７】
本発明で言う剛性のある長尺体１としては、グランドを均すための剛性があれば良く横断面の形状は方形、円形、台形、半円形、Ｌ形など特に限定するものではない。また削り具６としては、地面を削ることが出来れば良く、横断面の形状は角柱、三角柱、レーキ、V形の切り込みの入ったものなど特に限定するものではない。また図１で示す腕木５の形状も特に限定するものでなく、アングル、チャンネルなどでも良い。網８及び／又は板１５を一部分に設ける場合は後面網１６又は後面板１７を取り付け、板１５はパンチングでも良い。
【０００８】
かかる構成により、図１に示すように本発明１に握り棒又はロープ１３を取り付けて人、自転車、バイク、自動車で引っ張った場合、前方に取り付けた削り具６によって削られた土は網の上に掬い上げられ濾されて地面に落ちた土は、後方に設けた均し具３によって窪んだ場所を埋めながら地面を平坦に均すことが出来るもの
【０００９】
本発明の請求項２記載のグランド整地具（以下、本発明２と言う）は、上記腕木５、５・・・の上面に網７を配設したことを特徴としている。
【００１０】
かかる構成により、図３に示すように本発明２に握り棒又はロープ１３を取り付けて人、自転車、バイク、自動車で引っ張った場合、前方に取り付けた削り具６によって削られた土は網の上に掬い上げられ、上面に設けた網７によってこぼれ落ちる事無く上下に設けた網８及び網７によって濾されて地面に落ちた土は、後方にある均し具３で窪んだ場所を埋めながら地面を平坦に均すことが出来るものである。
【００１１】
本発明の請求項３記載の削り具付きグランド整備具（以下、本発明３と言う）は、上記腕木５、５・・・の下部に斜め前方上方に向かう短冊状の複数の切り込み１４、１４・・・を間隔を開けて設け、この切り込み１４、１４・・・の各々に複数の平板１１、１１・・・をはめ込んで差し渡し配設したことを特徴としている。
【００１２】
かかる構成により、図４に示すように本発明３に握り棒又はロープ１３を取り付けて人、自転車、バイク、自動車で引っ張った場合、前方に取り付けた削り具６によって削られ網８及び／又は板１５の上に押し上げられるが、網８及び／又は板１５は斜め前方下方に傾斜しているために土は前方に戻ろうとするので、斜め前方上方に向かう複数の平板を設けることによって阻止することが出来るものである。
【００１３】
本発明の請求項４記載の削り具付きグランド整地具（以下、本発明４と言う）は、上記腕木５、５・・・の先端又は上記削り具６の前方長辺側の複数箇所に、前方上方に突き出した滑り板９、９・・・及び／又は車輪１２、１２・・・を設けたことを特徴としている。
【００１４】
かかる構成により、図５に示すように本発明４に握り棒又はロープ１３を取り付けて人、自転車、バイクで引っ張った場合、腕木５、５・・・の先端又は削り具６の前方長辺側の複数箇所に、前方上方に突き出した滑り板９、９・・・及び／又は車輪１２、１２・・・を設けることによって削り具６が地面の表面を削る時の深さを調整することが出来るものである。
【発明の効果】
【００１５】
本発明１の効果として、図１に示すように本発明１に握り棒又はロープ１３を取り付けて人、自転車、バイク、自動車で引っ張った場合は、前方に取り付けた削り具６によって削られて網８の上に掬い上げられた土は、濾されたり地面に落ちたりするが、網８及び／又は板１５の上に土が乗っている間は、削り具６を押さえる重りになる。そして後方に設けた均し具３によって窪んだ場所を埋めながら地面を平坦に均すことが出来るものである。
【００１６】
本発明２の効果として、図３に示すように本発明２に握り棒又はロープ１３を取り付けて人、自転車、バイク、自動車で引っ張った場合、前方に取り付けた削り具６によって削られた土は網８の上に掬い上げられ、上面に設けた網７によってこぼれ落ちる事無く移動する時の振動によって濾されて地面に落ちた土は、後方に設けた均し具３によって窪んだ場所を埋めながら地面を平坦に均すことが出来る。網８及び網７の中に濾されずに土が残っている時は、削り具６を持ち上げ上下に振ることによって濾すことが出来るものである。
【００１７】
本発明３の効果として、図４に示すように本発明３に握り棒又はロープ１３を取り付けて人、自転車、バイク、自動車で引っ張った場合、前方に取り付けた削り具６によって削られた土は網８及び／又は板１５の上に掬い上げられて後方に押し上げられて行くが、削られる土が少ない時には腕木５、５・・・は斜め前方下方に取り付けてあるので、土の中に混じり込んでいた小石、ゴミや土が前方に戻ろうとするので、斜め前方上方に傾斜した複数の平板１１、１１・・・を設けることによって戻ることを阻止することが出来るものである。そして後方に設けた均し具３によって窪んだ場所を埋めながら地面を平坦に均すことが出来るものである。
【００１８】
本発明４の効果として、図５に示すように本発明４に握り棒又はロープ１３を取り付けて人、自転車、バイクで引っ張った場合、腕木５、５・・・の先端又は削り具６の前方長辺側の複数箇所に、前方上方に突き出した滑り板９、９・・・及び／又は車輪１２、１２・・・を設けることによって削り具６が地面の表面を削る時の深さを調整し、そのグランドに適した整備をすることが出来るものである。そして後方に設けた均し具３によって窪んだ場所を埋めながら地面を平坦に均すことが出来るものである。
【発明を実施するための最良の形態】
【００１９】
剛性のある長尺体１の下面の全面に細長い長方形の人工芝２を貼り付けて均し具３とし、この長尺体１対して直角に複数の腕木５、５・・・を間隔を設けて取り付け、この腕木５、５・・・の各々の先端に削り具６を差し渡して設け、この腕木５、５・・・の下面に網８及び／又は板１８を設け、上面にも網７を設け、腕木５、５・・・の下部に斜め前方上方に向かう短冊状の複数の切り込み１４、１４・・・を間隔を開けて設け、この切り込み１４、１４・・・の各々に複数の平板１１、１１・・・をはめ込んで差し渡し、腕木５、５・・・の先端又は削り具６の前方長辺側の複数箇所に、前方上方に突き出した滑り板９、９・・・及び／又は車輪１２、１２・・・を設けたことである。
【実施例１】
【００２０】
実施の形態の一例として、図１は本発明１の斜視図である。剛性のある長尺体１の下面の全面に細長い長方形の人工芝２を貼り付けて均し具３とし、この長尺体１に対して直角に複数の腕木５、５・・・を間隔を設けて取り付け、この腕木５、５・・・の各々の先端に削り具６を差し渡して設け、この腕木５、５・・・の下面に網８及び／又は板１８を配設したことで構成されている。  
【００２１】
実施の形態の一例として、本発明１の整備方法としては、グランドの乾燥度によって異なってくる。地面がさらさらに乾燥している場合は、削り具６で掬い上げた土は網８及び／又は板１５の上に乗って来る。網８の上に乗った砂は濾されて小石、ゴミは網８の上に残るので、グランドの小石、ゴミを取り除くことが出来る。また板１８の上に乗った砂はグランドに砂が多過ぎるためであり、これも取り除くことが出来る。地面が乾燥して砂の量が少ないグランドでは、連続して移動させることによって多くの小石、ゴミを取り除くことが出来る。グランドの土が適度の水分を含んでいる時に本発明１を使用すると、削り具６で削って網８及び／又は板１８上に掬い上げられた土は細かくなり網８で濾されるか、腕木５、５・・・を越えて行くが、これらの土は後方に設けた均し具３によって窪んだ場所を埋めながら地面を平坦に均すことが出来る。
【００２２】
雨上がりや水分を大量に含んだ地面の場合は、削り具６で削った土は網８及び／又は板１８の上に掬い上げられ積もった状態になる。このような整備具を引っ張るのは自動車が必要になってくる。しかし自動車で引っ張った場合は、スピードを上げて引っ張ることが出来るので、水分を含んで硬くなった土も網８及び／又は板１８の上には残らずグランドに柔らかい土を撒いたような状態に整備することが出来る。図２に示すように網８及び／又は板１８を腕木５、５・・・の一部分に設けた時は、削って掬い上げた土は後面網１６、後面板１７や腕木５、５・・・を越えて回りにばら撒かれるので、その土を後方に設けた均し具３によって窪んだ場所を埋めながら地面を平坦に均すことが出来る。
【００２３】
実施の形態の一例として、本発明１は図１に示すように長尺体１は幅８．５ｃｍ×厚み３．５ｃｍ×長さ２ｍ４３ｃｍの木製を使用し、腕木５、５・・・は鉄製の幅４ｃｍ×厚み３ｍｍのアングルを使用し、長さは４０ｃｍのものを三箇所に設けて長尺体１にネジ止めしたものである。網８は直径２ｍｍの３メッッシュで、削り板６は幅４ｃｍ５ｍｍの厚み５ｍｍで長さは２ｍある。人工芝２は三菱化学の目土擦り込みアストロターフスペシャル直毛を使用している。全重量は１３ｋｇと軽く幅が広いので、簡単にバイクで引っ張って効率的に地面を均すことが出来た。
【実施例２】
【００２４】
実施の形態の一例として、図３は本発明２の説明図である。上記腕木５、５・・・の上面に網７を配設したことで構成されている。
【００２５】
本発明２は図３に示すように握り棒又はロープ１３を取り付けて人、自転車、バイク、自動車で引っ張った場合、前方に取り付けた削り具６によって削られた土は上下の網８及び網７の間に掬い上げられ、移動する時の振動によって濾されて地面に落ちた土は、後方に設けた均し具３によって窪んだ場所を埋めながら地面を平坦に均すことが出来るものである。
【００２６】
実施の形態の一例として、本発明２の整地法は地面の乾燥度によって異なってくる。地面が乾燥している時は、上下に設けた網８及び網７の網目より大きい小石、ゴミは全部濾して取り除くことが出来る。地面に適度の水分が残っている時は、上下に設けた網８及び網７の中に土を残しながら整備をすることが出来る。地面の水分量が多い時は、上下に設けた網８及び網７の中に土が詰まった状態になりるが、その土の重さも加わって地面を削りながら整備することが出来るものである。
【００２７】
実施の形態の一例として、本発明２に取り付けた網７は本発明１に設けた網８及び／又は板１５の取り付けた面積によって様々な形態の整備具を製作することが出来る。網８を全面に設けた場合、部分的に網８を設けた場合、前方に板１６その後方に網８を設けた場合、全面に板１５を設けた場合など、下面の網８及び／又は板１５の取り付け方に応じて網７を設けることになる。また上下の網目の大きさによっても整備法は変わってくる。
【実施例３】
【００２８】
実施の形態の一例として、図４は本発明３の説明図である。上記腕木５、５・・・の下部に斜め前方上方に向かう短冊状の複数の切り込み１４、１４・・・を間隔を開けて設け、この切り込み１４、１４・・・の各々に複数の平板１１、１１・・・をはめ込んで差し渡し配設したことで構成されている。
【００２９】
本発明３は図４に示すように握り棒又はロープ１３を取り付けて人、自転車、バイク、自動車で引っ張った場合、前方に取り付けた削り具６によって削られた土は網８及び／又は板１５の上に掬い上げられて後方に押し上げられて行くが、削られる土が少ない時には腕木５、５・・・が斜め前方下方に取り付けてあるので、土の中に混じり込んでいた小石、ゴミや土は前方に戻ろうとするので、斜め前方上方に傾斜した複数の平板１１、１１・・・を設けることによって戻ることを阻止することが出来る。そして後方に設けた均し具３によって窪んだ場所を埋めながら地面を平坦に均すことが出来るものである。
【００３０】
実施の形態の一例として、本発明２の平板１１、１１・・・の角度は水平より前方を上方に傾斜しているが、均し具６で削り掬われて前方から押し上げられた土も平板１１、１１・・・を乗り越え易く戻り難いことになる。そして幅２ｃｍぐらいの平板１１、１１・・・を６ｃｍの間隔を設けて三本以上取り付ければ良い。
【実施例４】
【００３１】
実施の形態の一例として、図５は本発明４の説明図である。上記腕木５、５・・・の先端又は上記削り具６の前方長辺側の複数箇所に、前方上方に突き出した滑り板９、９・・・及び／又は車輪１２、１２・・・を設けたことを特徴としている。
【００３２】
本発明４は図５に示すように握り棒又はロープ１３を取り付けて人、自転車、バイクで引っ張った場合、腕木５、５・・・の先端又は削り具６の前方長辺側の複数箇所に、前方上方に突き出した滑り板９、９・・・及び／又は車輪１２、１２・・・を設けることによって削り具６が地面の表面を削る時の深さを調整し、そのグランドに適した整備をすることが出来るものである。そして後方に設けた均し具３によって窪んだ場所を埋めながら地面を平坦に均すことが出来るものである。
【００３３】
実施の形態の一例として、図６に示しているのは、腕木５、５・・・の先端又は削り具６の前方長辺側の複数箇所に、車輪１２、１２・・・だけを設けているもので、これは白テープを印しとして釘で止めているグランドなど地面の表面を深く削ることが出来ない地面の場合に、削り具６が地面の上をうすく削ることが出来るように車輪１２、１２・・・を地面より低い位置に取り付けている。また逆に地面より深く削るように滑り板９、９・・・及び／又は車輪１２、１２・・・を地面より高い位置に取り付けることも出来るものである。
【００３４】
本発明１〜４は四季を問わず、天候に影響されず、グランドの様々な状態に対応出来るように削る効果と均す効果と小石、ゴミを取り除く効果を微妙に取り混ぜて砂地用グランド専用に最適に使用できる整備具を製作することが出来るものである。
【図面の簡単な説明】
【００３５】
【図１】本発明１の実施の形態の一例を示す斜視図である。
【図２】本発明１の別の実施の形態の一例を示す側面図である。
【図３】本発明２の実施の形態の一例を示す斜視図である。
【図４】本発明３の実施の形態の一例を示す斜視図である。
【図５】本発明４の実施の形態の一例を示す斜視図である。
【図６】本発明４の実施の形態の一例を示す斜視図である。
【符号の説明】
【００３６】
１    長尺体
２    人口芝
３    均し具
４    長手方向側面
５    腕木
６    削り具
７    網
８    網
９    滑り板
１１    平板
１２    車輪
１３    ロープ
１４    切り込み
１５    板
１６    後面網
１７    後面板
【要約】
【課題】
グランド、テニスコート、野球（ソフトボール）場の地面の中の小石・ゴミを取り除く機能と均す機能を合わせ備えた整備具で軟らかい平坦な地面に整備することを課題としたものである。
【解決手段】
剛性のある長尺体１の下面の全面に細長い長方形の人工芝２を貼り付けて均し具３とし、この長尺体１に対して直角に複数の腕木５、５・・・を間隔を設けて取り付け、この腕木５、５・・・の各々の先端に削り具６を差し渡して設け、この腕木５、５・・・の下面に網８及び／又は板１８を配設したことである。
【選択図】  図１
【図１】
0003643374.tif 000002
【図２】
0003643374.tif 000003
【図３】
0003643374.tif 000004
【図４】
0003643374.tif 000005
【図５】
0003643374.tif 000006
【図６】
0003643374.tif 000007